(57)【要約】【課題】この発明は、ビデオ信号のアスペクト比に関連した情報を記憶し、また出力するときにもその情報を出力できるようにしたものである。【解決手段】リムーバブルな光ディスクに録画、再生する装置において、  アスペクト情報検出部４３は、映像信号よりアスペクト情報を取り出す。アスペクト情報は、エンコーダ部５０に与えられる。エンコーダ部５０は、アスペクト情報を元にＭＰＥＧビデオ内のシーケンスヘッダ、またはＲＤＩパック,またはＶＭＧＩ内のＳＴＩに設定する。【選択図】        図１
2005027332.tif 000002
【特許請求の範囲】
【請求項１】
リムーバブルな光ディスクをアクセスして映像情報を録画再生する方法において、
上記光ディスクへの情報記録時には、
入力映像信号を圧縮してパケット化して処理する際、先頭に制御情報を有したリアルタイムデータ情報（ＲＤＩ）パックを含み、他の部分にビデオパック、オーディオパックを含むビデオオブジェクトユニット（ＶＯＢＵ）が処理単位と設定され、
前記入力映像信号よりアスペクト情報を取り出し、前記リアルタイムデータ情報（ＲＤＩ）パックのヘッダにも前記アスペクト情報を設定し、
前記光ディスクの管理情報であるビデオマネージャー情報（ＶＭＧＩ）内のストリーム情報（ＳＴＩ）にも前記アスペクト情報を設定し、
上記光ディスクの再生時には、
前記光ディスクの管理情報である前記ビデオマネージャー情報（ＶＭＧＩ）内のストリーム情報（ＳＴＩ）にアスペクト情報が含まれているかどうか判定し、このアスペクト情報に基づいて、Ｓ映像端子におけるＣ信号のオフセット設定を行い、
ビデオオブジェクト再生中に、１ビデオオブジェクト（ＶＯＢＵ）がバッファに蓄積されたか判定し、
前記１ＶＯＢＵの先頭にリアルタイムデータ情報（ＲＤＩ）パックが存在するかどうかを判定し、
このＲＤＩパックに含まれるアスペクト比情報が変化したかどうかを判定し、
判定内容で前記Ｓ映像端子におけるＣ信号のオフセット設定を行うようにしたことを特徴とするＤＶＤ記録再生方法。
【請求項２】
前記ＲＤＩにコピーコントロール用の情報を含めていることを特徴とする請求項１記載のＤＶＤ記録再生方法。
【発明の詳細な説明】
【技術分野】
【０００１】
本発明は、ＤＶＤ（デジタルバーサタイルディスク）録再方法に関する。
【背景技術】
【０００２】
近年、映像や音声等のデータを記録した光ディスクを再生する動画対応の光ディスク再生装置が開発されている。この装置は、例えばＬＤや、ビデオＣＤ再生装置などの様に、映画ソフトを鑑賞したりカラオケ等楽しむ目的で一般に普及されている。
【０００３】
その中で、現在、国際規格化したＭＰＥＧ２（Moving Image Coding Expert Group ）方式を使用するとともに、ＡＣ３オーディオ圧縮方式を採用したＤＶＤ規格が提案された。
【０００４】
この規格は、ＭＰＥＧ２システムレイヤに従って、動画圧縮方式にＭＰＥＧ２方式をサポートし、音声圧縮方式にＡＣ３オーディオ圧縮方式及びＭＰＥＧオーディオ圧縮方式をサポートしている。さらに、映画やカラオケ等の字幕用としてビットマップデータをランレングス圧縮した副映像データを取り扱うことができるようになっている。さらに、この規格では、再生装置との関係では、早送り逆送りなどの特殊再生用コントロールデータ（ナビパック）を追加して構成されている。
【０００５】
さらにまたこの規格では、コンピュータでディスクのデータを読むことが出来るように、ＩＳ０９６６０とマイクロＵＤＦの規格をサポートしている。
【０００６】
また、メディア自身の規格としては、ＤＶＤ−ビデオのメディアであるＤＶＤ−ＲＯＭの規格に続き、ＤＶＤ−ＲＡＭの規格（２．６ＧＢ）も完成し、ＤＶＤ−ＲＡＭドライブもコンピュータ周辺機器として、普及し始めている。
【０００７】
さらに、現在ではＤＶＤ−ＲＡＭを利用し、リアルタイムでの情報記録再生が可能なシステムを実現するＤＶＤビデオ規格、つまりＲＴＲ（Real Time Recorder）−ＤＶＤの規格が完成しつつあり、近いうちに検証作業も終了する予定となっている。
【０００８】
この規格は、現在発売されているＤＶＤ−ビデオの規格を元に考えられている。さらに、そのＲＴＲ−ＤＶＤに対応したファイルシステムも現在規格化されている。
【０００９】
そこで、ＲＴＲ−ＤＶＤを利用したＤＶＤ録再装置が発売され始めている。
【００１０】
ここで、ＤＶＤ録再装置では、ビデオ信号処理は、入力端子に入力後、アナログデジタル（Ａ／Ｄ）変換され、デジタル信号となりデジタル処理されることになる。ここで、デジタル化されたデジタルビデオ信号はＣＣＩＲ６５６の規格に基づき、デジタル化されている。
【００１１】
一方、映像機器（テレビジョン（ＴＶ）受信機、ＶＴＲ等）には、ビデオ信号の出力端子として、Ｓ映像端子と、Ｒ，Ｇ，Ｂ端子とがある。Ｒ，Ｇ，Ｂ端子は、赤、緑、青の色信号を分離して出力する端子であり、Ｓ映像端子は、輝度信号と、色差（カラー）信号を出力する端子である。
【００１２】
さらに、ビデオ信号のタイプとして、アスペクト比４：３の信号、アスペクト比４：３のレターボックス信号、１６：９のスクイーズ（又はフルモード）信号とが存在する。（１）標準のテレビ画面は、アスペクト比４：３である。（２）又スクイーズ（又はフルモード）信号は、５２５ライン、アスペクト比４：３の標準テレビ信号形式上に５２５ライン、アスペクト比１６：９の画像の情報を載せた信号である。（３）アスペクト比４：３のレターボックス信号は、５２５ライン、アスペクト比４：３で、上下の無画部とアスペクト比１５：９の主画部（５３〜２３２／３１６〜４９５ライン）が存在するワイド画像の信号である。
【００１３】
ここで、上記ワイドＴＶと標準のＴＶが混在するために、上記のビデオ信号タイプをディスプレイ側で認識させるために、「アスペクト比の異なる映像信号の識別信号と伝送方法」というタイトルで、識別信号の規格化が行われている。
【００１４】
上記の識別信号は、Ｓ映像端子から出力されるカラー信号に直流（ＤＣ）成分（コントロール信号）を重畳し、そのＤＣレベルに応じて、信号形式を識別させるものである。以下、その規定を示すと以下の通りである。
【００１５】
信号レベル５．０（＋0乃至-1.5）Ｖ…１６：９のスクイーズ信号
信号レベル２．２（+0.2乃至+0.2）Ｖ…４．３のレターボックス信号
信号レベル０Ｖ                    …４：３の標準信号
また、
Ｓ映像端子のＣ信号の出力ＤＣインピーダンスは
10（+-３）ｋΩ        …スクイーズ信号時
10（+３乃至-7）ｋΩ  …レターボックス信号時
Ｓ映像端子のＣ信号の入力ＤＣインピーダンスは100ｋΩ以上
と設定されている。
【００１６】
さらに映像機器において、Ｓ映像端子の接続部には、以下のような表示が行われている。
【００１７】
（１）スクイーズ信号のみに対応する場合…出力側には、「Ｓ１映像入力」、入力側には、「Ｓ１映像出力」と表示されている。
【００１８】
（２）スクイーズ信号とレターボックス信号に対応する場合…「出力側には、「Ｓ２映像入力」、入力側には、「Ｓ２映像出力」と表示されている。
【００１９】
（３）スクイーズ信号とレターボックス信号に対応する状態と、スクイーズ信号のみに対応する状態とを切り換えることができる場合、…「出力側には、「Ｓ１／Ｓ２映像入力」、入力側には、「Ｓ１／Ｓ２映像出力」と表示されている。
【特許文献１】特開平４−３０７８８４号公報
【特許文献２】特開平８−１６３５０２号公報
【発明の開示】
【発明が解決しようとする課題】
【００２０】
上記のように、アスペクト比の異なる信号に応じて、Ｓ映像端子における入出力カラー信号にコントロール信号を重畳する規格がある。しかしながら、ＤＶＤビデオ録再装置においては、上記コントロール信号を持つものがない。このために、ワイドＴＶと標準ＴＶが再生された場合、ディスプレイ側では独自の判定処理を行う必要がある。また製造元により、その判定方式が異なることになる。
【００２１】
そこで、本発明では、その入力映像信号に対応して、アスペクト信号を設定し、その再生時に複数の方面からアスペクト情報をチェックできるようにしたＤＶＤ録再方法を提供することを目的としている。
【００２２】
また、この発明では、Ｓ映像端子の出力信号に対応した識別信号処理を行うことができるＤＶＤ録再方法を提供することを目的とする。
【課題を解決するための手段】
【００２３】
上記目的を達成するために、本発明ではリムーバブルな光ディスクをアクセスして映像情報を録画再生する方法において、上記光ディスクへの情報記録時には、入力映像信号を圧縮してパケット化して処理する際、先頭に制御情報を有したリアルタイムデータ情報（ＲＤＩ）パックを含み、他の部分にビデオパック、オーディオパックを含むビデオオブジェクトユニット（ＶＯＢＵ）が処理単位と設定され、前記入力映像信号よりアスペクト情報を取り出し、前記リアルタイムデータ情報（ＲＤＩ）パックのヘッダにも前記アスペクト情報を設定し、前記光ディスクの管理情報であるビデオマネージャー情報（ＶＭＧＩ）内のストリーム情報（ＳＴＩ）にも前記アスペクト情報を設定し、上記光ディスクの再生時には、前記光ディスクの管理情報である前記ビデオマネージャー情報（ＶＭＧＩ）内のストリーム情報（ＳＴＩ）にアスペクト情報が含まれているかどうか判定し、このアスペクト情報に基づいて、Ｓ映像端子におけるＣ信号のオフセット設定を行い、ビデオオブジェクト再生中に、１ビデオオブジェクト（ＶＯＢＵ）がバッファに蓄積されたか判定し、前記１ＶＯＢＵの先頭にリアルタイムデータ情報（ＲＤＩ）パックが存在するかどうかを判定し、このＲＤＩパックに含まれるアスペクト比情報が変化したかどうかを判定し、判定内容で前記Ｓ映像端子におけるＣ信号のオフセット設定を行うようにしている。
【発明の効果】
【００２４】
上記の手段によるとＳ映像端子に対して的確なスペクト情報を出力する録再機を得ることができる。
【発明を実施するための最良の形態】
【００２５】
以下、この発明の実施の形態を図面を参照して説明する。
【００２６】
図１はこの発明が適用されたＤＶＤ録再装置の全体的なブロック構成である。図１の各ブロックを大きく分けると、左側には記録部の主なブロックを示し、右側には再生部の主なブロックを示している。この図１の各部のブロックについては後で詳しく説明する。
【００２７】
図２は、ＤＶＤシステムのディレクトリー構造の一部を示している。図２は、ＤＶＤシステムの特にリアルタイムレコーディング（ＲＴＲ）ＤＶＤのディレクトリー構造とオーディオファイルのデイレクトリー構造について示している。
【００２８】
ＤＶＤでは、規格毎にディレクトリが存在し、これらのディレクトリー名を、ＤＶＤ−ビデオでは、「ＶＩＤＥＯ＿ＴＳ」、ＤＶＤ−オーディオでは、「ＡＯＵＤＩＯ＿ＴＳ」、ＲＴＲ−ＤＶＤでは、「ＤＶＤ＿ＲＴＲ」としている。図２では、「ＤＶＤ＿ＲＴＲ」、「ＡＯＵＤＩＯ＿ＴＳ」が示されている。記録データは、各ディレクトリー内に存在する。
【００２９】
また、ＤＶＤでは、通常のファイル形式でデータが保存される。タイトルは、例えば映画の1本分に相当し、1枚のディスクのこのタイトルが複数記録可能である。そしてタイトルが集まったものをタイトルセットと呼び、このタイトルセットは、複数のファイルで構成されることになる。
【００３０】
上記のＤＶＤ−ビデオでは、1枚のディスクに、このディスクの情報を管理するための情報が記録されている。この管理情報はファイルとして記録され、ビデオマネージャー（ＶＭＧ）と称する。
【００３１】
さらにこのＤＶＤ-ビデオのタイトルセット（ＶＴＳ）は、このタイトルセットを管理するためのビデオタイトルセット情報（ＶＴＳＩ）が設けられ、このＶＴＳＩと、ビデオデータで構成されるビデオファイルと、さらにＶＴＳＩのバックアップとで構成されている。
【００３２】
一方、ＲＴＲ−ＤＶＤでは、前記ＶＭＧ（ディスクの情報を管理するための情報）とＶＴＳＩ（タイトルセットを管理するための情報）とが、一体化され、新たなビデオマネージャー情報（ＶＭＧＩ）として定義されている。
【００３３】
ディレクトリー「ＤＶＤ＿ＲＴＲ」内には、ビデオマネジャー（ＶＭＧ）ファイルとしてのＶＲ＿ＭＡＮＧＥＲ．ＩＦＯ、ムービービデオファイルとしてのＶＲ＿ＭＯＶＩＥ．ＶＲＯ、スチルピクチャービデオファイルとしてのＶＲ＿ＳＴＩＬＬ．ＶＲＯ、スチルピクチャービデオファイルとしてのＶＲ＿ＡＵＤＩＯ．ＶＲＯ、ビデオマネジャーのバックアップとしてのＶＲ＿ＭＡＮＡＧＲ．ＢＵＰの各ファイルが存在する。
【００３４】
また、ディレクトリー「ＡＵＤＩＯ＿ＴＳ」内には、オーディオマネージャー情報（ＡＭＧＩ）ファイルとしてのＡＵＤＩＯ＿ＴＳ．ＩＦＯ、オーディオマネジャー情報（ＡＭＧＩ）バックアップファイルとしてのＡＵＤＩＯ＿ＴＳ．ＢＵＰ、オーディオタイトルセット情報（ＡＴＳＩ）ファイルとしてのＡＴＳ＿０１．ＩＦＯ、オーディオタイトルセット（ＡＴＳ）オーディオオブジェクトファイルとしてのＡＴＳ＿０１．ＡＯＢが存在する。
【００３５】
ＶＲ＿ＭＡＮＥＧＥＲ．ＩＦＯファイルには、ナビゲーションデータが記録されるもので、このナビゲーションデータは、プログラムセット、プログラム、エントリーポイント、プレイリストなどを進行させるためのデータである。
【００３６】
ＶＲ＿ＭＯＶＩＥ．ＶＲＯファイルは、ムービービデオオブジェクト（ムービーＶＯＢ）を記録するためのいわゆるムービーＡＶファイルである。
【００３７】
ＶＲ＿ＳＴＩＬＬ．ＶＲＯは、スチルピクチャーＶＯＢを記録するためのスチルピクチャＡＶファイルである。
【００３８】
またＶＲ＿ＡＵＤＩＯ．ＶＲＯは、スチルピクチャーに対する付加オーディオストリームを記録するためのスチルピクチャー付加オーディオファイルである。
【００３９】
ＶＲ＿ＳＴＩＬＬ．ＶＲＯは、任意のサブピクチャーユニットを含むビデオパートで構成されるオリジナルＶＯＢを記録するために用いられる。またこのとき、ビデオパートに関連したオーディオパートもオリジナルＶＯＢに含まる。
【００４０】
ＶＲ＿ＡＵＤＩＯ．ＶＲＯは、付加オーディオパートを記録するために用いられるファイルであり、この付加オーディオパートは、アフターレコーディングにより記録されたオーディオストリームを示す。ＶＲ＿ＡＵＤＩＯ．ＶＲＯに記録されたオーディオパートは、ＶＲ＿ＳＴＩＬＬ．ＶＲＯに記録された幾つかのビデオパートとの組み合せで使用される。
【００４１】
ＶＲ＿ＭＡＮＡＧＲ．ＢＵＰは、ＶＲ＿ＭＡＮＥＧＥＲ．ＩＦＯのバックアップファイルである。
【００４２】
図３（Ａ）は、上記のムービービデオファイルとしてのＶＲ＿ＭＯＶＩＥ．ＶＲＯ、スチルピクチャービデオファイルとしてのＶＲ＿ＳＴＩＬＬ．ＶＲＯのファイル構造を示している。
【００４３】
ビデオファイルは、階層構造であり、１つのファイルは、複数のＶＯＢ（ビデオオブジェクト）で構成され、１つのＶＯＢは、複数のＶＯＢＵ（ビデオオブジェクトユニット）で構成され、１つのＶＯＢＵは、複数パックから構成される。複数のパックとしては、ＲＤＩパック、Ｖパック、Ａパック等が存在する。
【００４４】
Ｖパックは、ビデオデータがＭＰＥＧ２の方式で圧縮されたもので、パックヘッダ、パケットヘッダ、ビデオデータ部で構成される。Ａパックは、オーディオデータが、例えばリニアＰＣＭあるいはＭＰＥＧ，あるいはＡＣ３などの方式で処理されたものであり、パックヘッダ、パケットヘッダ、オーディオデータ部で構成される。
【００４５】
図３（Ｂ）は、Ｖパックとの関係によるＭＰＥＧ２方式に基くビデオデータのフォーマットを示している。
【００４６】
グループオブピクチャー（ＧＯＰ）は、複数のビデオフレームが用いられて圧縮された単位であり、その先頭にはシーケンスヘッダが付加されている。シーケンスヘッダには、シーケンスヘッダの開始コード（ＳＨＣ）、画素の縦のライン数（ＨＳ），画素の横のライン数（ＶＳ），アスペクト比（ＰＡＲ）などが記述されている。
【００４７】
図４に示すＲＤＩパックはリアルタイムデータインフォーメーションパック（ＲＤＩ＿ＰＣＫ）と称されるもので、リアルタイムジェネラル情報（ＲＤＩ＿ＧＩ），ディスプレイコントロール及びコピーコントロール情報（ＤＣＩ＿ＣＣＩ）、製造者情報（ＭＮＦＩ）などを含む。
【００４８】
リアルタイムジェネラル情報（ＲＤＩ＿ＧＩ）は、これが属するＶＯＢＵの最初のフィールドが再生される開始時間を示す情報、つまりＶＯＢＵ＿Ｓ＿ＰＴＭと、当該ＶＯＢＵの記録時を示す情報、つまりＶＯＢＵ＿ＲＥＣ＿ＴＭとを含む。
【００４９】
ディスプレイコントロール及びコピーコントロール情報（ＤＣＩ＿ＣＣＩ）は、ディスプレイコントロール情報（ＤＣＩ）及びコピーコントロール情報（ＣＣＩ）のステータスを示す（ＤＣＩ＿ＣＣＩ＿ＳＳ）と、ディスプレイコントロール情報（ＤＣＩ）自身と、コピーコントロール情報（ＣＣＩ）自身を含む。
【００５０】
（ＤＣＩ＿ＣＣＩ＿ＳＳ）のうちディスプレイコントロール情報ステータス（ＤＣＩ＿ＳＳ）は、第1のエリアであり、有効なアスペクト比情報のみが存在する場合（０１ｂ）、有効なアスペクト比、サブタイトルモード、フィルムカメラモードが存在する場合（１１ｂ）を識別している。
【００５１】
ディスプレイコントロール情報（ＤＣＩ）は、アスペクト比情報、サブタイトルモード情報、フィルムカメラモードを含む。
【００５２】
アスペクト比情報は、アスペクト比が４：３の場合（０００ｂ）、アスペクト比が１６：９の場合（０００１ｂ）を示している。更にソースピクチャーがレターボックスの場合、１０００ｂ（レターボックス（１４：９）であるがスクリーンセンター配置）、０１００ｂ（レターボックス（１４：９）であるがスクリーントップ配置）、１１０１ｂ（レターボックス（１６：９）であるがスクリーンセンター配置）、００１０ｂ（レターボックス（１６：９）であるがスクリーントップ配置）、１０１０ｂ（レターボックス（＞１６：９）であるがスクリーンセンター配置）、０１１１ｂ（１４：９フルフォーマットでセンター配置）を識別している。
【００５３】
サブタイトルモードは、サブタイトルが開かない（００ｂ）、サブタイトルがアクティブイメージエリア内にある（０１ｂ）、サブタイトルがアクティブイメージエリアの外にある（１０ｂ）を識別している。
【００５４】
フィルムカメラモードは、カメラモード（０ｂ）、フィルムモード（１ｂ）を識別している。
【００５５】
ビデオファイルに記録されたデータ再生順序は、プログラムチェーン（ＰＧＣ）で定義されている。このプログラムチェーン（ＰＧＣ）には、セル（Ｃｅｌｌ）が定義され、さらにセル（Ｃｅｌｌ）には、再生すべき対象となるＶＯＢが定義されている。このＰＧＣの具体的情報を記録してある部分がＶＭＧファイルの中のプログラムチェーン情報（ＰＧＣＩ）部分である。ＰＧＣＩには、2種類が存在し、１つはオリジナルＰＧＣＩ（ＯＲＧ＿ＰＧＣＩ），もう1つはユーザディファインドＰＧＣテーブル（ＵＤ＿ＰＧＣＩＴ）である。
【００５６】
ここで、上記プログラムチェーン情報が記述されているビデオマネージャファイル（ＶＭＧ）の構成について説明する。
【００５７】
図５にはＶＭＧファイルに記述されている情報を階層的に示し、特にプログラムチェーン情報（ＰＧＣＩ）を階層的に詳しく示している。
【００５８】
ＶＭＧファイル内には、ＲＴＲ＿ＶＭＩ（ＲＴＲビデオマネージャー情報）、Ｍ＿ＡＶＦＩＴ（ムービーＡＶファイル情報テーブル）、Ｓ＿ＡＶＦＩＴ（スチルピクチャーＡＶファイル情報テーブル）、ＯＲＧ＿ＰＧＣＩ（オリジナルプログラムチェーン情報）、ＵＤ＿ＰＧＣＩＴ（ユーザ定義プログラムチェーン情報）、ＴＸＴＤＴ＿ＭＧ（テキストデータマネージャ）、ＭＮＦＩＴ（マニュファクチャー情報テーブル）がある。
【００５９】
ＯＲＧ＿ＰＧＣＩ（オリジナルプログラムチェーン情報）は、記録順にデータを再生するための特別なＰＧＣである。つまりこのＰＧＣは、データの再生順序を指定する情報であり、プログラムのつながりであるプログラムセットを示している。記録順に再生するための特別なＰＧＣをこのプログラムは、ＶＲＯファイルに格納されているデータである。ＵＤ＿ＰＧＣＩＴ（ユーザ定義プログラムチェーン情報）もデータの再生順序を指定するであるが、ユーザのプログラム編集などにより、上記ＯＲＧ＿ＰＧＣＩにより指定されているプログラムの中の部分的な指定を行いその部分部分をつなげている。したがって、ＵＤ＿ＰＧＣＩＴは、まとまったプログラムのつながりではなく、Ｃｅｌｌ（セル）のつながりを示している。セルとは、プログラムの各部分を示す情報である。
【００６０】
ＯＲＧ＿ＰＧＣＩ（オリジナルプログラムチェーン情報）、ＵＤ＿ＰＧＣＩＴ（ユーザ定義プログラムチェーン情報）も内容的な同様なデータ構造である。
【００６１】
ＰＧＣＩは、ＰＧＣ一般情報（ＰＧＣ＿ＧＩ）、ＰＧＣ情報テーブル（ＰＧＣＩＴ）、セル情報サーチポインタ（ＣＩ＿ＳＲＰＴ）、セル情報テーブルＣＩＴ）で構成される。
【００６２】
ＰＧＣ一般情報（ＰＧＣ＿ＧＩ）には、プログラム数（ＵＤ＿ＰＧＣでは０）、このＰＧＣ内のセルサーチポインタ数が記述される。
【００６３】
ＰＧＣ情報テーブル（ＰＧＣＩＴ）には、プログラム情報（ＰＧＩ）が記述されるもので、プログラムが消去プロテクトされた状態であるか否かを示すプログラムタイプ（ＰＧ＿ＴＹ），このプログラム内のセルの数（Ｃ＿Ｎｓ）、キャラクタセットを示すプライマリーテキスト情報（ＰＲＭ＿ＴＥＸＴＩ）、このプログラムに対応するアイテムテキストサーチポインタの番号（ＩＴ＿ＴＸＴ＿ＳＲＰＮ）、セル番号、ピクチャーポイントを示す代表画像情報（ＲＥＰ＿ＰＩＣＴＩ）がある。
【００６４】
セル情報サーチポインタ（ＣＩ＿ＳＲＰＴ）には、セル情報（ＣＩ）のスタートアドレスが記述される。セル情報テーブルＣＩＴには、サーチポインタで指定されるセル情報（ＣＩ＃１〜ＣＩ＃ｊ）が記述されている。
【００６５】
セル情報（ＣＩ）は、セル一般情報（Ｃ＿ＧＩ）、セルエントリーポイント情報（Ｃ＿ＥＰＩ＃１〜Ｃ＿ＥＰＩ＃ｋ）が記述されている。セル一般情報は、後述する。セルエントリーポイント情報（Ｃ＿ＥＰＩ）は、タイプＡ，タイプＢが存在する。
【００６６】
タイプＡではエントリーポイントタイプ（タイプＡかＢか）の識別、エントリーポイントのプレゼンテーションタイム（ＥＰ＿ＰＴＭ）が記述されている。プレゼンテーションタイム（ＥＰ＿ＰＴＭ）は、エントリーポイントの再生時間を示している。具体的には、（ＥＰ＿ＰＴＭ）は、対応するＶＯＢ内でプレゼンテーションタイムスタンプとして符号化されている、最初のビデオフィールドの再生開始時間、及び最後のビデオフィールドの再生時間を示している。タイプＢではタイプＡの情報に加えて、エントリーポイントにおけるプライマリーテキスト情報が存在する。
【００６７】
上記セル一般情報（Ｃ＿ＧＩ）は、セルタイプ（Ｃ＿ＴＹ）、当該セルが指定するＶＯＢに対応したＶＯＢＩのサーチポインタの番号（Ｍ＿ＶＯＢ＿ＳＲＰＮ）を有する。また、セルエントリーポイントの数（Ｃ＿ＥＰＩ＿Ｎｓ）、セルの再生開始時間（Ｃ＿Ｖ＿Ｓ＿ＰＴＭ）、セルの再生終了時間（Ｃ＿Ｖ＿Ｅ＿ＰＴＭ）を有する。
【００６８】
図６には、同じくＶＭＧファイルに記述されている情報を階層的に示し、特にムービーＡＶファイル情報テーブル（Ｍ＿ＡＶＦＩＴ）を階層的に詳しく示している。
【００６９】
上記のＭ＿ＡＶＦＩＴには、ムービーＡＶファイル情報テーブル情報（Ｍ＿ＡＶＦＩＴＩ）、ムービーＶＯＢストリーム情報（Ｍ＿ＶＯＢ＿ＳＴＩ＃ｎ）（ｎ＝１〜ｎ），ムービーＡＶファイル情報（Ｍ＿ＡＶＦＩ）が記述されている。
【００７０】
ムービーＡＶファイル情報（Ｍ＿ＡＶＦＩ）について説明する。
【００７１】
ムービーＡＶファイル情報（Ｍ＿ＡＶＦＩ）には、Ｍ＿ＡＶＦＩ一般情報（Ｍ＿ＡＶＦＩ＿ＧＩ）、Ｍ＿ＶＯＢ情報サーチポインタ（Ｍ＿ＶＯＢＩ＿ＳＲＰ＃ｎ）、ムービービデオ情報（Ｍ＿ＶＯＢＩ＃ｎ）が記述されている。
【００７２】
Ｍ＿ＡＶＦＩ一般情報には、Ｍ＿ＶＯＢサーチポインタの数、Ｍ＿ＶＯＢ情報の開始アドレスが記述されている。
【００７３】
Ｍ＿ＶＯＢ情報＃ｎには、当該Ｍ＿ＶＯＢの一般情報（Ｍ＿ＶＯＢ＿ＧＩ）、シームレス情報（ＳＭＬＩ）、オーディオギャツプ情報（ＡＧＡＰＩ）、タイムマップ情報（ＴＭＡＰＩ）が記述されている。
【００７４】
Ｍ＿ＶＯＢ＿ＧＩには、このＶＯＢが通常の状態であるのか、仮消去された状態であるのかを示すＶＯＢタイプ、又オーディオストリームは、このＶＯＢが作成されたときにオリジナルとして記録されたものであるのか、あるいは部分的或は全体的に修正されたものであるのかを示すオーディオステータス、が記述されている。
【００７５】
またＭ＿ＶＯＢ＿ＧＩには、このＶＯＢの記録時間、サブで分の時間が記録される。さらにまたこのＭ＿ＶＯＢ＿ＧＩには、Ｍ＿ＶＯＢのストリーム情報番号、このＶＯＢのビデオスタート時間、並びに終了時間、コピープロテクション情報が記述される。
【００７６】
次にムービービデオ情報（Ｍ＿ＶＯＢＩ＃ｎ）について説明する。このＭ＿ＶＯＢＩ＃ｎは、Ｍ＿ＶＯＢＩ＿ＳＲＰ＃ｎにより特定される。
【００７７】
ムービービデオ情報（Ｍ＿ＶＯＢＩ＃ｎ）には、このＶＯＢが通常の状態であるのか、仮消去された状態であるのかを示すＶＯＢタイプ、又オーディオストリームは、このＶＯＢが作成されたときにオリジナルとして記録されたものであるのか、あるいは部分的或は全体的に修正されたものであるのかを示すオーディオステータス、が記述されている。
【００７８】
またＭ＿ＶＯＢ＿ＧＩには、このＶＯＢの記録時間、サブで分の時間が記録される。さらにまたこのＭ＿ＶＯＢ＿ＧＩには、Ｍ＿ＶＯＢのストリーム情報番号、このＶＯＢのビデオスタート時間、並びに終了時間、コピープロテクション情報が記述される。
【００７９】
次に上記のタイムマップ情報（ＴＭＡＰＩ）について説明する。
【００８０】
ＴＭＡＰＩは、プレゼンテーションタイムをオフセットアドレスに変換するのに利用される。この情報は通常の再生のみならず特殊再生やタイムサーチのためにも活用すべき用意されている。
【００８１】
ＴＭＡＰＩは、タイムマップ一般情報（ＴＭＡＰ＿ＧＩ）、タイムマップエントリーテーブル（ＴＭ＿ＥＮＴ＃１〜＃ｎ）、このエントリー情報に対応するビデオオブジェクトエントリーテーブル（ＶＯＢＵ＿ＥＮＴ＃１〜＃ｎ）で構成される。
【００８２】
各ＴＭ＿ＥＮＴは、対応するＶＯＢＵのアドレス情報を含みタイムエントリーにより特定された再生時間とＶＯＢＵの再生開始時間との時間差情報を含む。
【００８３】
各ＶＯＢＵ＿ＥＮＴは、各ＶＯＢＵの再生時間及びサイズ情報を含む。ＶＯＢＵのサイズは、論理ブロックにより計測されており、再生時間はビデオフィールドにより計測されている。
【００８４】
ＴＭＡＰ＿ＧＩは、タイムエントリー数（ＴＭ＿ＥＮＴ＿Ｎｓ）、ＶＯＢＵエントリー数（ＶＯＢＵ＿ＥＮＴ＿Ｎｓ）、タイムオフセット（ＴＭ＿ＯＦＳ）、アドレスオフセット（ＡＤＲ＿ＯＦＳ）を有する。
【００８５】
ＶＯＢＵ＿ＥＮＴについて説明する。
【００８６】
ＶＯＢＵ＿ＥＮは、このＶＯＢＵの第1の参照画像のアドレスを述べた（１ＳＴＲＥＦ＿ＳＺ）と、このＶＯＢＵの再生時間を述べた（ＶＯＢＵ＿ＰＢ＿ＴＭ）と、このＶＯＢＵのサイズを述べた（ＯＢＵ＿ＳＺ）で構成される。第1の参照画像は、ＶＯＢＵの先頭からのＩピクチャの最終アドレスであり、ＶＯＢＵ内のビデオを復号するのに最初に必要なデータのアドレスである。ＶＯＢＵの再生時間は、このＶＯＢＵ内のビデオフィールドの数で示されている。またＶＯＢＵのサイズは、このＶＯＢＵ内のパック数で示されている。
【００８７】
図７は、同じくＶＭＧファイルに記述されている情報を階層的に示し、特にムービービデオオブジェクトストリーム情報テーブル（Ｍ＿ＶＯＢ＿ＳＴＩ＃１〜＃３）を階層的に詳しく示している。
【００８８】
Ｍ＿ＶＯＢ＿ＳＴＩ＃ｎには、ビデオ属性を示すビデオ属性情報（Ｖ＿ＡＴＲ）、オーディオストリーム数を示すオーディオストリームナンバー（ＡＳＴ＿Ｎ）、副映像のストリーム数を示す（ＳＰＳＴ＿Ｎｓ）、各オーディオストリームの属性を示す（Ａ＿ＡＴＲ）、副映像のカラーパレットを示す（ＳＰ＿ＰＬＴ）が記述される。オーディオストリームの属性を示す（Ａ＿ＡＴＲ）には、ストリーム＃０の属性を示す（Ａ＿ＡＴＲ０）と、ストリーム＃１の属性を示す（Ａ＿ＡＴＲ１）とがある。
【００８９】
上記のビデオ属性を示すＶ＿ＡＴＲの中では、圧縮モードとしては、ビデオがＭＰＥＧ１（００ｂ）であるかＭＰＥＧ２（０１ｂ）であるかが記述されている。また、ＴＶモードとしてのタイプは、５２５ライン／６０ヘルツ（００ｂ）であるか６２５ライン／５０ヘルツ（０１ｂ）であるかが記述されている。また、アスペクト比として４：３（００ｂ）であるか１６：９（０１ｂ）であるかが記述されている。また、アプリケーションフラッグとして、このビデオストリームはこのＶ＿ＡＴＲで定義されているアスペクト比で符号化されたものである（００ｂ）か、このビデオストリームはこのＶ＿ＡＴＲで定義されているアスペクト比で符号化されてもよいものであるか（０１ｂ）かが記述されている。（０１ｂ）で識別された場合、そのビデオストリームの実際のアスペクト比はＲＤＩ＿ＰＣＫに記述されている。さらにまたビデオ属性を示すＶ＿ＡＴＲとしては、ライン２１に関する情報がある。さらにまたビデオ解像度情報が記述されている。
【００９０】
上記のＲＴＲ＿ＶＭＩについて説明する。
【００９１】
このＲＴＲ＿ＶＭＩは、大きく分けて２つの情報が含まれる。１つはＶＭＧＩ＿ＭＡＴ（ビデオマネージャー情報マネジメントテーブル）であり、他の１つは、ＰＬ＿ＳＲＰＴ（プレイリストサーチポインターテーブル）である。
【００９２】
ＶＭＧＩ＿ＭＡＴには、このＶＭＧを識別するためのＶＭＧ識別子、ＶＭＧの終了位置を示す情報であるＲＴＲ＿ＶＭＧ終了アドレス、このＶＭＧ情報の終了位置を示す情報であるＲＴＲ＿ＶＭＧＩ終了アドレス、このブックのバージョン番号、このディスクに各種データが記録又は更新されたときの時間を示す情報であるタイムゾーン、スチルピクチャのためのスチル時間、プライマリーテキストのためのキャラクタセットコード、ディスク再生中に一時停止され、次に再生を行うのに必要な情報（プログラムチェーン番号など）を記述したレジュームマーク情報、ディスク代表画像を再生するために必要な情報を記述したディスクリプレゼンタティブピクチャー情報、このディスクの代表名を表示するためのキャラクタコードセットによる記述情報であるディスクリプレゼンタティブネームが記述されている。さらに、次に格納されているＭ＿ＡＶＦＴのスタートアドレス、Ｓ＿ＡＶＦＩＴのスタートアドレス、ＯＲＧ＿ＰＧＣＩのスタートアドレス、ＵＤ＿ＰＧＣＩのスタートアドレス、ＴＸＴＤＴ＿ＭＧのスタートアドレス、ＭＮＦＩＴのスタートアドレスが記述されている。
【００９３】
ＰＬ＿ＳＲＰＴは、プレイリストサーチポインタの数、及び各プレイリストのサーチポインタが記述されている。プレイリストは、プログラムの部分部分を示すリストであり、ユーザにより再生順序を指定可能であり、後述するユーザ定義ＰＧＣにより定義されている。プレイリストサーチポインタには、再生される対象がムービー、スチルなどを識別するためのプレイリストタイプ、このポインタに対応するプログラムチェーン番号、プレイリストが作成された時間の各情報、プレイリストのためのプライマリーテキスト情報等が含まれている。
【００９４】
上記のように規格化されているディスクの記録再生装置について、再度図１に戻り説明する。
【００９５】
録再ＤＶＤでは、再生処理は、ＰＧＣＩに従って行われ、このＰＧＣでは、複数のプログラムを指定することができ、このプログラムにはセルが定義されている。そしてセルにより再生すべき対象となるＶＯＢが指定されることになる。また、記録順に再生するための特別なＰＧＣをオリジナルＰＧＣと称し、このオリジナルＰＧＣの情報はＯＲＧ＿ＰＧＣＩとして記録されている。さらに、このときのビデオデータの属性情報（解像度情報、アスペクト情報、音声属性情報など）は、ＶＭＧＩ内のＳＴＩに記録される。また、上記したパックは、データ転送処理を行う最小単位である。さらに、論理上の処理を行う最小単位はセル単位で、論理上の処理はこの単位で行わる。したがって、録画が行われるときは、上記のフォーマットに合致する形式に記録信号が変換さえる。
【００９６】
情報記録再生装置は、ビデオファイルを有した情報記憶媒体である光ディスク１００１を回転駆動し、この光ディスク１００１に対して情報の読み書きを実行する情報記録再生部３２と、録画側を構成するエンコーダ部５０と、再生側を構成するデコーダ部６０と、装置本体の動作を制御するマイクロコンピュータブロック３０とを、主たる構成要素としている。
【００９７】
エンコーダ部５０は、ＡＤＣ（アナログデジタルコンバータ）５２と、Ｖ(ビデオ)エンコーダ５３と、Ａ（オーディオ）エンコーダ５４と、ＳＰ（副映像）エンコーダ５５と、フォーマッタ５６と、バッファメモリ５７とを備えている。
【００９８】
ＡＤＣ５２には、ＡＶ入力部４２からの外部アナログビデオ信号＋外部アナログオーディオ信号、あるいはＴＶ（テレビジョン）チューナ４４からのアナログＴＶ信号＋アナログ音声信号が入力される。ここで本装置には、アスペクト情報検出部４３がこのＡＶ入力部４２に接続されており、検出されたアスペクト情報は、フォーマッタ５６に供給されている。
【００９９】
ＡＤＣ５２は、入力されたアナログビデオ信号を、例えばサンプリング周波数１３．５ＭＨｚ、量子化ビット数８ビットでデジタル化する。すなわち、輝度成分Ｙ、色差成分Ｃｒ（またはＹ−Ｒ）及び色差成分Ｃｂ（またはＹ−Ｂ）が、それぞれ８ビットで量子化されることになる。
【０１００】
同様に、ＡＤＣ５２は、入力されたアナログオーディオ信号を、例えばサンプリング周波数４８ｋＨｚ、量子化ビット数１６ビットでデジタル化する。
【０１０１】
なお、ＡＤＣ５２にアナログビデオ信号及びデジタルオーディオ信号が入力されるときは、ＡＤＣ５２は、デジタルオーディオ信号をスルーパスさせる。ただし、デジタルオーディオ信号の内容は改変せずに、そのデジタルオーディオ信号に付随するジッタだけを低減させる処理、あるいはサンプリングレートや量子化ビット数を変更する処理等は行なってもよい。
【０１０２】
一方、ＡＤＣ５２にデジタルビデオ信号及びデジタルオーディオ信号が入力されるときは、ＡＤＣ５２は、デジタルビデオ信号及びデジタルオーディオ信号をスルーパスさせる。そして、これらのデジタルビデオ信号及びデジタルオーディオ信号に対しても、内容は改変することなく、ジッタ低減処理やサンプリングレート変更処理等は行なってもよい。
【０１０３】
ＡＤＣ５２から出力されたデジタルビデオ信号は、Ｖエンコーダ５３を介してフォーマッタ５６に送られる。また、ＡＤＣ５２から出力されたデジタルオーディオ信号は、Ａエンコーダ５４を介してフォーマッタ５６に送られる。
【０１０４】
Ｖエンコーダ５３は、入力されたデジタルビデオ信号を、ＭＰＥＧ２またはＭＰＥＧ１規格に基づいて、可変ビットレートで圧縮されたデジタル信号に変換する機能を持つ。また、Ａエンコーダ５４は、入力されたデジタルオーディオ信号を、ＭＰＥＧまたはＡＣ−３規格に基づいて、固定ビットレートで圧縮されたデジタル信号またはリニアＰＣＭのデジタル信号に変換する機能を持つ。
【０１０５】
副映像情報がＡＶ入力部４２から入力された場合（例えば副映像信号の独立出力端子付ＤＶＤビデオプレーヤからの信号）、あるいはこのようなデータ構成のＤＶＤビデオ信号が放送され、それがＴＶチューナ４４で受信された場合は、ＤＶＤビデオ信号中の副映像信号（副映像パック）が、ＳＰエンコーダ５５に入力される。ＳＰエンコーダ５５に入力された副映像信号は、所定の信号形態にアレンジされて、フォーマッタ５６に送られる。
【０１０６】
フォーマッタ５６は、バッファメモリ５７をワークエリアとして使用しながら、入力されたビデオ信号、オーディオ信号、副映像信号等に対して所定の信号処理を行なうことにより、先に図３、図４で説明したようなフォーマット（ファイル構造）に合致した記録データをデータプロセッサ３６に出力する。
【０１０７】
ここで、上記記録データを作成するための標準的なエンコード処理内容を簡単に説明しておく。すなわち、エンコーダ部５０において、エンコード処理が開始されると、ビデオ（主映像）データ及びオーディオデータをエンコード処理するにあたって必要なパラメータが設定される。
【０１０８】
次に、設定されたパラメータを利用して主映像データがプリエンコード処理されることにより、設定された平均転送レート（記録レート）に最適な符号量の分配が計算される。プリエンコード処理で得られた符号量分配に基づき、主映像データのエンコード処理が実行される。このとき、オーディオデータのエンコード処理も同時に実行される。
【０１０９】
プリエンコード処理の結果、データ圧縮量が不十分な場合（録画しようとする情報記憶媒体に希望のビデオプログラムが収まり切らない場合）、再度プリエンコード処理する機会を持てるなら（例えば録画のソースがビデオテープあるいはビデオディスク等の反復再生可能なソースであれば）、主映像データの部分的な再エンコード処理が実行され、再エンコード処理した部分の主映像データが、それ以前にプリエンコード処理した主映像データ部分と置換される。このような一連の処理によって、主映像データ及びオーディオデータがエンコード処理され、記録に必要な平均ビットレートの値が大幅に低減される。
【０１１０】
同様に、副映像データをエンコード処理するに必要なパラメータが設定され、エンコード処理された副映像データが作成される。
【０１１１】
エンコード処理された主映像データ、オーディオデータ及び副映像データが組み合わされて、ビデオオブジェクトセットＶＯＢＳの構造に変換される。
【０１１２】
すなわち、主映像データ（ビデオデータ）の最小単位としてセルが設定され、図５で説明したようなセル情報が作成される。次に、プログラムチェーンＰＧＣを構成するセルの構成や、主映像、副映像及びオーディオの属性等が設定され（これらの属性情報の一部は、各データをエンコードするときに得られた情報が利用される）、ここに、種々の情報を含めたＶＭＧファイルが作成される。
【０１１３】
エンコード処理された主映像データ、オーディオデータ及び副映像データは、一定サイズ（２０４８バイト）のパック（図３）に細分化される。これらのパックには、ダミーパックが適宜挿入される。なお、ダミーパック以外のパック内には、適宜、再生時刻を示すＰＴＳ（プレゼンテーションタイムスタンプ）や、デコード時刻を示すＤＴＳ（デコーディングタイムスタンプ）等のタイムスタンプが記述される。副映像のＰＴＳについては、同じ再生時間帯の主映像データあるいはオーディオデータのＰＴＳより任意に遅延させた時間を記述することができる。
【０１１４】
そして、各データのタイムコード順に再生可能なように、ビデオオブジェクトユニットＶＯＢＵ単位でその先頭にＲＤＩパック(ナビゲーションパックに相当)を配置しながら各セルが配置される。これにより、複数のセルで構成されるビデオオブジェクトＶＯＢが構成される。このビデオオブジェクトＶＯＢを１つ以上集めてなるビデオオブジェクトセットＶＯＢＳが、ムビービデオファイルに記録される。
【０１１５】
なお、ＤＶＤビデオプレーヤからＤＶＤ再生信号をデジタルコピーする場合には、上記セル、プログラムチェーン、管理テーブル、タイムスタンプ等の内容は始めから決まっているので、これらを改めて作成する必要はない。ただし、ＤＶＤ再生信号をデジタルコピーできるようにＤＶＤビデオレコーダを構成する場合には、電子すかしやその他の著作権保護手段が講じられる必要がある。
【０１１６】
光ディスク１００１に対して、情報の読み書き（録画及び／または再生）を実行する部分としては、光学系、駆動系を有するディスクドライブ３５と、データプロセッサ３６と、一時記憶部３７と、ＳＴＣ（システムタイムカウンターまたはシステムタイムクロック）３８とを備えている。
【０１１７】
一時記憶部３７は、データプロセッサ３６、ディスクドライブ３５介して光ディスク１００１に書き込まれるデータ（エンコーダ部５０から出力されるデータ）のうちの一定量分をバッファリングしたり、ディスクドライブ３５、データプロセッサ３６を介して光ディスク１００１から再生されたデータ（デコーダ部６０に入力されるデータ）のうちの一定量分をバッファリングするのに利用される。ディスクドライブ３５は、光ディスクに対する回転制御系、レーザ駆動系、光学系などを有する。
【０１１８】
例えば、一時記憶部３７が４Mbyteの半導体メモリ（ＤＲＡＭ）で構成されるときは、平均４Mbps（ビット・パー・セカンド）の記録レートでおよそ８秒分の記録または再生データのバッファリングが可能である。また、一時記憶部３７が１６MbyteのＥＥＰ（エレクトリカリー・イレーザブル・アンド・プログラマブル）ＲＯＭ（フラッシュメモリ）で構成されるときは、平均４Mbpsの記録レートでおよそ３０秒の記録または再生データのバッファリングが可能である。さらに、一時記憶部３７が１００Mbyteの超小型ＨＤＤ（ハード・ディスク・ドライブ）で構成されるときは、平均４Mbpsの記録レートで３分以上の記録または再生データのバッファリングが可能となる。
【０１１９】
一時記憶部３７は、録画途中で光ディスク１００１を使い切ってしまった場合において、光ディスク１００１が新しいディスクに交換されるまでの録画情報を一時記憶しておくことにも利用できる。
【０１２０】
また、一時記憶部３７は、ディスクドライブ３５として高速ドライブ（２倍速以上）を採用した場合において、一定時間内に通常ドライブより余分に読み出されたデータを一時記憶しておくことにも利用できる。再生時の読み取りデータを一時記憶部３７にバッファリングしておけば、振動ショック等で図示しない光ヘッドが読み取りエラーを起こしたときでも、一時記憶部３７にバッファリングされた再生データを切り替え使用することによって、再生映像が途切れないようにすることができる。
【０１２１】
図１では示していないが、情報記録再生装置に外部カードスロットを設けておけば、上記ＥＥＰＲＯＭをオプションのＩＣカードとして別売することができる。また、情報記録再生装置に外部ドライブスロットあるいはＳＣＳＩ（スモール・コンピュータ・システムインターフェース）を設けておけば、上記ＨＤＤもオプションの拡張ドライブとして別売することができる。
【０１２２】
データプロセッサ３６は、マイクロコンピュータブロック３０の制御にしたがって、エンコーダ部５０から出力されたＤＶＤ記録データをディスクドライブ３５に供給したり、光ディスク１００１から再生したＤＶＤ再生信号をディスクドライブ３５から取り込んだり、光ディスク１００１に記録された管理情報を書き替えたり、光ディスク１００１に記録されたデータ（ファイルあるいはビデオオブジェクト）の削除をしたりする。
【０１２３】
マイクロコンピュータブロック３０は、ＭＰＵ（マイクロプロセシングユニット）、またはＣＰＵ（セントラルプロセシングユニット）と、制御プログラム等が書き込まれたＲＯＭと、プログラム実行に必要なワークエリアを提供するためのＲＡＭとを含んでいる。
【０１２４】
マイクロコンピュータブロック３０のＭＰＵは、そのＲＯＭに格納された制御プログラムにしたがい、ＲＡＭをワークエリアとして用いて、欠陥場所検出、未記録領域検出、録画情報記録位置設定、ＵＤＦ記録、ＡＶアドレス設定等を実行する。
【０１２５】
ＭＰＵの実行結果のうち、ディスクドライブ３５のユーザに通知すべき内容は、ＤＶＤビデオレコーダの表示部４８に表示されるか、またはモニタディスプレイにＯＳＤ（オンスクリーンディスプレイ）表示される。
【０１２６】
なお、マイクロコンピュータブロック３０が、ディスクドライブ３６、データプロセッサ３６、エンコーダ部５０及び／またはデコーダ部６０等を制御するタイミングは、ＳＴＣ３８からの時間データに基づいて、実行することができる。録画や再生の動作は、通常はＳＴＣ３８からのタイムクロックに同期して実行されるが、それ以外の処理は、ＳＴＣ３８とは独立したタイミングで実行されてもよい。
【０１２７】
デコーダ部６０は、図３に示したようなパック構造を持つ映像情報から各パックを分離して取り出すセパレータ６２と、パック分離やその他の信号処理実行時に使用するメモリ６３と、セパレータ６２で分離された主映像データ（ビデオパックの内容）をデコードするＶデコーダ６４と、セパレータ６２で分離された副映像データ（副映像パックの内容）をデコードするＳＰデコーダ６５と、セパレータ６２で分離されたオーディオデータ（オーディオパックの内容）をデコードするＡデコーダ６８と、Ｖデコーダ６４から得られる主映像データにＳＰデコーダ６５から得られる副映像データを適宜合成し、主映像にメニュー、ハイライトボタン、字幕やその他の副映像を重ねて出力するビデオプロセッサ６６を備えている。
【０１２８】
ビデオプロセッサ６６の出力は、ビデオミクサー７１に入力さえる。ビデオミクサー７１では、テキストデータの合成が行われる。またビデオミクサー７１には、また、ＴＶチューナ４４やＡ／Ｖ入力部４２からの信号を直接取り込むラインも接続されている。ビデオミクサー７１には、バッファとして用いるフレームメモリ７２が接続されている。ビデオミクサー７１の出力がデジタル出力の場合は、インターフェース（Ｉ／Ｆ）７３を介して外部へ出力され、アナログ出力の場合は、ＤＡＣ７４を介して外部へ出力される。
【０１２９】
Ａデコーダ６８の出力がデジタル出力の場合は、インターフェース（Ｉ／Ｆ）７５を介して外部へ出力され、アナログ出力の場合は、セレクタ７６を介してＤＡＶ７７でアナログ変換され外部に出力される。セレクタ７６は、マイクロコンピュータブロック３０からのセレクト信号により、ＴＶチューナ４４やＡ／Ｖ入力部４２からの信号を直接モニタするとき、ＡＤＣ５２からの出力を選択することも可能である。アナログオーディオ信号は、図示しない外部コンポーネント（２チャンネル〜６チャンネルのマルチチャンネルステレオ装置）に供給される。
【０１３０】
上記装置において、ビデオ信号の流れを簡単に説明すると、以下のようになる。
【０１３１】
まず、入力されたＡＶ信号はＡＤＣ５２でデジタル変換される。そのデジタル信号は、各エンコーダ５３，５４，５５へ入力される。ビデオ信号はＶエンコーダ５３へ、オーディオ信号はＡエンコーダ５４へ、文字放送などの文字データはＳＰエンコーダ５５へ入力される。ビデオ信号はＭＰＥＧ圧縮され、オーディオ信号はＡＣ３圧縮またはＭＰＥＧオーディオ圧縮がなされ、文字データはランレングス圧縮される。
【０１３２】
各エンコーダからの圧縮データは、パック化された場合に２０４８バイトになるようにパケット化されて、フォーマッタ５６へ入力される。フォーマッタ５６では、各パケットがパック化され、さらに、多重化され、データプロセッサ３６へ送られる。
【０１３３】
ここで、フォーマッタ５６は、アスペクト情報検出部４３からの情報を元に、ＲＤＩパックを作成し、ビデオオブジェクトユニット（ＶＯＢＵ）の先頭に配置する。
【０１３４】
また、エンコーダ部５０ではアスペクト情報検出部４３からの情報を元に、ＭＰＥＧビデオデータのシーケンスヘッダ内のアスペクト情報に検出した情報を書き込む。
【０１３５】
データプロセッサ３６は、１６パック毎にＥＣＣブロッを形成し、エラー訂正データを付け、その出力をディスクドライブ３５を介して光ディスク１００１へ記録する。
【０１３６】
ここで、ディスクドライブ３５がシーク中やトラックジャンプなどの場合のため、ビジィー状態の場合には、一時記憶部３７（例えばＨＤＤバッファ部）へ入れられ、ＤＶＤ−ＲＡＭドライブ部（ディスクドライブ３５）の準備ができるまで待つこととなる。
【０１３７】
さらに、フォーマッタ５６では、録画中、各切り分け情報を作成し、定期的にマイクロコンピュータブロック３０のＭＰＵへ送る（ＧＯＰ先頭割り込み時などの情報）。
【０１３８】
切り分け情報としては、ＶＯＢＵのパック数、ＶＯＢＵ先頭からのＩピクチャのエンドアドレス、ＶＯＢＵの再生時間などである。
【０１３９】
同時に、アスペクト情報検出部４３からの情報を録画開始時にＭＰＵへ送り、ＭＰＵはＶＯＢストリーム情報（ＳＴＩ）を作成する。ここで、ＳＴＩは、図７のような構造になっており、解像度データ、アスペクトデータなどを保存し、再生時、各デコーダ部はこの情報を元に初期設定を行われる。
【０１４０】
また、録再ＤＶＤでは、ビデオファイルは１ディスクに１ファイルとしている。
【０１４１】
ここで、ＤＶＤを利用したリアルタイム録再機において、注意すべき点は、データをアクセスする場合において、そのアクセス（シーク）している間に、とぎれないで再生を続けるために、最低限連続するセクタが必要になってくる。
【０１４２】
この単位をＣＤＡ（コンティギュアス・データ・エリア）という。
【０１４３】
このＣＤＡは、ＥＣＣブロック単位となっている方が有利である。そのため、ＣＤＡサイズは１６の倍数にし、ファイルシステムでは、このＣＤＡ単位で記録を行っている。ただし、この場合、ディスク内にうまくＣＤＡの大きさの空き領域がない場合などは、別のファイルが使用している短いセクタが、ＣＤＡ内に入り込むことも許している。これにより、ＣＤＡ単位で記録することができる。
【０１４４】
ここで、録画処理について、図８、図９、図１０のフローにしたがって説明する。
【０１４５】
記録時には、以下の処理を行う。
【０１４６】
（１）光ディスク（ＤＶＤ−ＲＡＭ）のファイルシステムをチェックし、無い場合には、ファイルシステムを構築する。
【０１４７】
（２）ＤＶＤ−ＲＡＭのディレクトリをチェックし、ＲＴＲ（リアルタイムレコーディング）ディレクトリが無い場合には、そのディレクトリを作成する。
【０１４８】
（３）ワークＲＡＭ内にＤＶＤ−ＲＡＭよりビデオマネジャー情報（ＶＭＧＩ）を読み出し、無い場合は内部で発生し、ＶＭＧＩテーブルを構築する。
【０１４９】
上記（１）、（２）、（３）までの処理は、マイクロコンピュータブロック３０が中心となって行うステップＡ１，Ａ２,Ａ３,Ａ４,Ａ５、Ａ６に対応する。
【０１５０】
つまり、ＤＶＤ−ＲＡＭが録再装置に装填された状態で、ファイルシステムのチェック、空き領域のチェックなどが行われる。
【０１５１】
（４）エンコーダ部５０に録画初期設定を行い、録画を開始設定する（ステップＡ７）。
【０１５２】
即ち、マイクロコンピュータブロック３０により、録画が可能な状態が確認されると、録画初期設定が行われる。さらにＳＴＣのリセット、ドライブへの書き込み開始アドレスの設定、書き込み命令の設定、フォーマッタへの初期設定、アライン処理の設定として、セル、ＶＯＢＵ、プログラム（ＰＧ），プログラムチェーン（ＰＧＣ）の区切りの準備設定が行われる。
【０１５３】
（５）さらに、エンコード開始時にアスペクト情報検出部４３よりアスペクト情報を読み込み、その値にしたがって、ストリーム情報（ＳＴＩ）を設定する（ステップＡ７、Ａ８）。
【０１５４】
即ち、録画開始時には、エンコーダ部５０へ録画開始命令を設定し、またフォーマッタ５６における切り分け情報をＶＯＢＵとして登録する。これにより、録画がスタートすると、エンコーダ部５０では、入力ビデオ信号のフレームがＧＯＰ単位で圧縮され、さらにこのＧＯＰがパック化され、さらに、このパックが収集されてＶＯＢＵ単位にまとめられる。ＧＯＰのシーケンスヘッダには、アスペクト比情報が挿入される（図３（Ｂ）参照）。またＶＯＢＵの先頭パックとして、ＲＤＩパック（図３（Ｂ），図４参照）が配置される。このときは、図３（Ａ）で説明したように、オーディオパック、副映像パックなども収集される。
【０１５５】
（６）エンコードデータが１ＣＤＡ分たまった場合、ＤＶＤ−ＲＡＭの空き領域に記録するように各ドライブ部に設定し、記録するセクタのリンク情報をワークＲＡＭに保存する（Ａ９）。
【０１５６】
（７）フォーマッタ５６に切り分け情報がたまった場合、切り分け情報を読み込みワークＲＡＭにＶＯＢＵ管理情報として取り込み、録画終了命令が出るまで、（５）〜（７）を繰り返す（ステップＡ１０、Ａ１１、Ａ１２、Ａ１３）。
【０１５７】
つまり、１ＣＤＡ（記録単位）のデータが集まると、マイクロコンピュータブロック３０は、データプロセッサ３６を介してドライブ３５で利用されるデータの書き込みアドレス、書き込み長を決定し、書き込み命令を発行する。次に、マイクロコンピュータブロック３０は、切り分け情報を取り込んでいる途中に割り込みがあるかどうかをチェックした後、割り込みが無ければフォーマッタ５６から切り分け情報を取り込む。次に録画終了キー入力情報があるかどうかをチェックし、無ければ、次の記録単位である１ＣＤＡ分の記録データがフォーマッタ５６に溜まっているかどうかをチェックする。
【０１５８】
ここで、エンコーダ部５０においては、ＡＶ入力部４２より、カラー信号を分離したアスペクト情報をうけ、ＭＰＥＧビデオデータのシーケンスヘッダ（図３（Ｂ）参照）にアスペクト情報に従って、情報を設定する（Ｖエンコーダで行われる）。さらに、ＲＤＩパックにも、同じ情報を設定し、切り分け情報によりＭＰＵに知らせられる（フォーマッタ）。
【０１５９】
（８）ＤＶＤ−ＲＡＭのファイルシステムを、リンク情報を元に更新する。
【０１６０】
（９）ワークＲＡＭ内の管理情報を元にＶＭＧファイルを更新し、ディスクに記録する（ステップＡ１４）。
【０１６１】
ここで、ＳＴＩには、４：３と１６：９の区別しかないため、アスペクト情報のうち、４：３以外は、区別がつかない。
【０１６２】
そのため、スクイーズ画像とパーンスキャン画像についての区別をつけるため、ＲＴＲ−ＤＶＤにおいてＶＭＧＩ内のマニファクチャーＩＮＦ．に記録することも可能である。
【０１６３】
図９は、図８のステップＡ１１の割り込みがあった場合の処理を簡単に示している。割り込み情報が検出されると、割り込み要因のチェックが行われ、１パック分のデータをデータプロセッサ３６へ転送し、録画パック数のカウントアップを開始する。そしてフォーマッタ５６で次々と処理されているパックのために切り分け情報を１つ取り込む毎に割り込みフラッグをセットする。この処理は割り込みが解除されるまで行われる。割り込みが解除になると、ステップＡ９に移行し、録画パック数から１ＣＤＡ分があるかどうかを判定する。また、同時に割り込みフラッグを消去する。これにより、割り込み処理が実行されても、セル、ＶＯＢＵ，ＰＧ，ＰＧＣなどを作成するための切り分け情報を失うことはない。なお割り込み処理中のパックは、バッファメモリ５７に一時格納される。
【０１６４】
図１０は、録画開始時にＳ端子の状態を調べるためのフローチャートである。本装置は、Ａ／Ｖ入力部４２の信号からアスペクト比を検出してもよく、またＳ端子の色差信号からアスペクト比の情報を検出してもよい。
【０１６５】
録画開始時にＳ端子のＣ信号に直流成分があるかどうかを検出する。Ｓ端子には、先に説明したように、Ｃ信号のレベルとして、
信号レベル５．０（＋0乃至-1.5）Ｖ…１６：９のスクイーズ信号
信号レベル２．２（+0.2乃至+0.2）Ｖ…４．３のレターボックス信号
信号レベル０Ｖ                    …４：３
の規定がある。
【０１６６】
そこで、簡単な方法としては、Ｃ信号に直流レベルが存在する場合には、ストリーム情報（ＳＴＩ）にアスペクト比１６：９として記述し、直流レベルがほぼ２．２Ｖ以下の場合は、アスペクト比３：４として記述するようにしている。
【０１６７】
図１１乃至図１４を参照して再生時の動作を説明する。
【０１６８】
再生が開始されると、ＤＶＤフォーマットのものであるかどうかのディスクチェックが行われる。即ち、ディスクの有無、ボリューム構成があるかどうか、ＤＶＤ−ＲＴＲディレクトリーがあるかどうか、ＶＭＧがあるかどうかのチェックが行われる（ステップＢ１，Ｂ２，Ｂ３，Ｂ４,Ｂ５,Ｂ６）。ＶＭＧが存在すればＶＭＧがマイクロコンピュータブロック３０に読み取られる（ステップＢ７）。さらに、ビデオファイル（図２参照）が存在するかどうかのチェックが行われる（ステップＢ８）。ビデオファイルが存在すれば、再生を行うプログラムチェーンを決定する（ステップＢ９）。プログラムチェーンとしては、図５で示したようにオリジナルプログラムチェーン（ＯＲＧ＿ＰＧＣ）、ユーザディファインドプログラムチェーン（ＵＤ＿ＰＧＣ）が存在可能である。
【０１６９】
プログラムチェーンが決まると、再生開始時のコンティギュアスデータエリア（ＣＤＡ）の処理を行う（ステップＢ１０）。さらにＰＧＣに対応したＶＭＧ内のストリーム情報（ＳＴＩ）の内容をよみ、ＭＰＥＧビデオ用のＶデコーダ６４、ＳＰデコーダ６５、Ａデコーダ６８の初期設定、ＳＴＩ内のアスペクトレートの読み取り、Ｓ映像端子におけるＣ信号のオフセット設定を行う（ステップＢ１１）。
【０１７０】
次に具体的にセル再生処理を実行する（ステップＢ１２）。次に再生終了情報があるかどうかを判定し、無ければプログラムチェーン情報（ＰＧＣＩ）より、次の再生対象となるセルを設定する（ステップＢ１４）。次にデコーダの設定条件が変わるべきかどうかの判定が行われ（ステップＢ１５）、変わるべきであれば、次のシーケンスエンドコードが検出されたときに、デコーダの設定を変更する（ステップＢ１６）。変わっていない場合、及びデコーダの設定変更後は、シームレス接続かどうかの判定が行われ（ステップＢ１７）、シームレス接続であればステップＢ１２に戻り、次のセル再生処理が実行される。
【０１７１】
ステップＢ１７でシームレス接続でないことが判定されると、デコーダ部５０をフリーランモードに設定し、シームレス接続フラグをセットし、ステップＢ１２に戻り、次のセル再生を実行する。
【０１７２】
ステップＢ１３において再生終了情報が検出された場合には、その他再生終了に必要な処理を行ない終了する（ステップＢ１９）。
【０１７３】
図１３、図１４はセル再生時の処理を詳しく示している。
【０１７４】
セル再生の実行に移ると、プログラムチェーン情報（ＰＧＣＩ）、タイムマップ情報（ＴＭＰＩ）により、セルのエントリーポイントＥＰ（開始ＥＰ、終了ＥＰ）を認識し、セル開始エントリーポイントを読み出しエントリーポイントとして設定する（ステップＣ２）。次に、読み出すＣＤＡのスタートアドレス及び読み出し長の設定を行う。
【０１７５】
次に、読み出すＣＤＡの長さが残りセル長より小さいかどうかを判定し、小さい場合には、残りセル長から読み出すＣＤＡ長を引き算すれば、残りセル長の更新が可能である（ステップＣ４）。そして読み出すＣＤＡ長に基いてドライブ３５へ読み出し命令をセットする（ステップＣ５）。ステップＣ４で読み出すＣＤＡ長が残りセル長より大きかった場合は、現在の読み出し長を残りセル長に設定し、更新した残りセル長は０にセットする。
【０１７６】
ドライブ３５へ読み出し命令がセットされると、転送が開始され、１ＶＯＢＵ分がバッファに溜まったかどうかのチェックが行われる（ステップＣ８、Ｃ９）。１ＶＯＢＵ分のデータがバッファに溜まると、そのバッファより分離部６２へデータ転送が行われる（Ｃ１０）。
【０１７７】
また、マイクロコンピュータブロック３０ではそのＶＯＢＵの先頭にＲＤＩパックがあるかどうかの判定を行う（ステップＣ１１）、更にＲＤＩパックの情報から、前回に比べてアスペクト比情報に変化があったかどうかの判定を行う（ステップＣ１２）。アスペクト比情報に変化があった場合には、その情報に応じてＳ映像端子（出力端子）の直流電圧を変更する（ステップＣ１３）。次に、シームレス接続フラッグ（図６のＳＭＬＩ）がセットされているかどうかを判定し、無ければステップＣ１６にデータ転送が終了しているかどうかを判定し、シームレスフラッグがある場合には、さらに読み出しエントリーポイントに読み出し長を加えて、新たな読み出しエントリーポイントを設定する。そして、デコーダ６０を通常モードに設定する（ステップＣ１５）。またこのときシステムクロックリファレンス（ＳＣＲ）を読み込むと共に、いままで取り込んでいたシームレス接続フラッグをリセットし、次のＶＯＢＵの読み取り時に備え、ステップＣ１６に移行する。ステップＣ１６で転送が終了しているかどうかを判定し、終了していれば、残りセル長が０かどうかをチェックする。残りセル長が０であれば、図１２のステップＢ１３へリターンする。残りセル長が０でない場合には、図１３のステップＣ３へ戻る。
【０１７８】
ステップＣ１６において、転送が終了していないことが分かると、キー入力があったかどうかをチェックし、無ければステップＣ９ヘ戻る。キー入力があることが判明した場合は、ステップＣ２０、Ｃ２１により、高速はや送り（ＦＦ）、高速逆送り（ＦＲ）であるかどうかを判定する。
【０１７９】
ＦＦの場合は、ジャンプ方向を正方向に設定し、ジャンプ量により高速読み取りモードをシステムに設定し、またＦＲの場合は、ジャンプ方向を負方向に設定し、高速読み取りモードをシステムに設定する。この場合は、ＣＤＡの処理は、特殊再生時の処理モードとなる（ステップＣ２３）。
【０１８０】
ジャンプはディスク回転の高速化、あるいは、ピックアップ移動制御など各種の方法が可能である。
【０１８１】
上記のように、本発明の装置は、再生時には、再生開始時にＳＴＩより初期状態を読み込み、アスペクト情報に見合った電圧（図１５）をＳ映像端子のカラー信号のＤＣ成分として重畳することができる。
【０１８２】
また、再生中も、ＲＤＩパックの内容をチェックし、アスペクト情報に変化があったときには、アスペクト情報に見合った電圧（図１５）をＳ映像端子のカラー信号のＤＣ成分として重畳する。
【０１８３】
図１６は、アスペクト情報検出部４３の構成例である。
【０１８４】
図１６（Ａ）ブロック構成を示し、図１６（Ｂ）は具体的に回路レベルで示している。ブロック図のように、増幅器９１、低域フィルタ（ＬＰＦ）或は帯域通過フィルタ（ＢＰＦ）９２を介して、入力したＣ信号に多重されているＳ１，Ｓ２信号を取り出し、その値をＡ／Ｄ変換器やコンパレータ９３などにより、マイクロプロセッサ部等が読み出せる値に変換し、ＭＰＵ部に読み出させる。そのために低域通過フィルタ（ＬＰＦ）などにより、カラー信号をカットした信号をＡ／Ｄコンバータなどに入力させる。
【０１８５】
また、今回の実施例では、Ｓ映像端子の映像信号に重畳されているアスペクト情報に関して、記述しているが、放送信号のうち、ＶＢＩ（Ｖｉｄｅｏ  Ｂｌａｎｋｉｎｇ  Ｉｎｆｏｒｍａｔｉｏｎ）にアスペクト情報が入っている場合も、ＶＢＩよりアスペクト情報を抜き出し、同じように管理領域に保存することができる。
【０１８６】
以上のようにして、Ｓ１，Ｓ２映像端子のアスペクト情報に対応したＤＶＤ録再機が構築することができる。つまり、リムーバブルな光ディスクに録画、再生する装置において、アスペクト情報検出部４３は、映像信号よりアスペクト情報を取り出す。アスペクト情報は、エンコーダ部５０に与えられる。エンコーダ部５０及びマイクロコンピュータブロック３０は、アスペクト情報を元にＭＰＥＧビデオ内のシーケンスヘッダ、またはＲＤＩパック,またはＶＭＧＩ内のＳＴＩに設定する手段を備えるものである。またこれらのいずれかあるいはその組合せ、さらには全てに設定してもよい。
【０１８７】
以上説明したようにこの発明によれば、Ｓ１，Ｓ２映像端子のアスペクト情報に対応したＤＶＤ録再機を得ることができる。
【図面の簡単な説明】
【０１８８】
【図１】本発明が適用されたＤＶＤ録再機の一実施の形態を示すブロック図。
【図２】ＤＶＤのディレクトリ構造例を示す図。
【図３】ＤＶＤ規格におけるビデオオブジェクトセット（ＶＯＢＳ）及びＭＰＥＧ規格におけるデータ構造の階層とその内容を示す説明図。
【図４】本発明で要部となるＲＤＩパックの説明図。
【図５】ＤＶＤ規格におけるＶＭＧの階層構造で特にプログラムチェーンの階層構造を示す説明図。
【図６】ＤＶＤ規格におけるＶＭＧの階層構造で特にＡＶファイル情報テーブルの階層構造を示す説明図。
【図７】ＤＶＤ規格におけるＶＭＧの階層構造で特にＡＶファイル情報テーブルのビデオストリーム情報の階層構造を示す説明図。
【図８】本発明に係る装置の録画動作を説明するために示すフローチャート。
【図９】図８のフローチャートの一部を示す図。
【図１０】本発明に係る装置が動作するときのストリーム情報（ＳＴＩ）設定処理を示すフローチャート。
【図１１】本発明に係る装置の再生動作を説明するために示したフローチャート。
【図１２】図１１の続きを示すフローチャート。
【図１３】本発明の装置の再生動作においてセル再生動作を説明するために示したフローチャート。
【図１４】図１３の続きを示すフローチャート。
【図１５】アスペクト情報の説明図。
【図１６】本発明で用いられたアスペクト情報検出部の例を示す図。
【符号の説明】
【０１８９】
３０…マイクロコンピュータブロック、３５…ディスクドライブ、３６…データプロセッサ、３７…一時記憶部、３８…システムタイムクロック（ＳＴＣ）、４２…Ａ／Ｖ入力部、４３…アスペクト情報検出部、４４…ＴＶチューナ、５０…エンコーダ部、６０…デコーダ部。
【図１】
2005027332.tif 000003
【図２】
2005027332.tif 000004
【図３】
2005027332.tif 000005
【図４】
2005027332.tif 000006
【図５】
2005027332.tif 000007
【図６】
2005027332.tif 000008
【図７】
2005027332.tif 000009
【図８】
2005027332.tif 000010
【図９】
2005027332.tif 000011
【図１０】
2005027332.tif 000012
【図１１】
2005027332.tif 000013
【図１２】
2005027332.tif 000014
【図１３】
2005027332.tif 000015
【図１４】
2005027332.tif 000016
【図１５】
2005027332.tif 000017
【図１６】
2005027332.tif 000018